(57)【要約】【課題】帯状に形成される集塵フィルタを巻き取ることによって集塵フィルタの交換頻度を低下させるとともに集塵フィルタによって捕集された塵埃が離脱する不具合を抑制する。【解決手段】空気吸込口１２の外部空間Ｓ２側を覆うとともに帯状に形成される集塵フィルタ４１を有するフィルタユニット４０と、を備え、フィルタユニット４０は、集塵フィルタ４１の一端を巻き取る巻き取り軸４２ａを有する巻き取り部４２と、巻き取り部４２により巻き取られる集塵フィルタ４１の他端が巻き付けられた巻き出し軸４３ａを有する巻き出し部４３と、巻き取り軸４２ａを回転駆動する駆動部４４と、を有し、巻き取り軸４２ａおよび巻き出し軸４３ａよりも空気吸込口１２に近接した位置に空気吸込口１２を覆うように集塵フィルタ４１を配置する空気調和機を提供する。【選択図】図３
2020133909.tif 000002
【特許請求の範囲】
【請求項１】
吸込口を有する本体部と、
前記吸込口を介して外部空間から前記本体部の内部空間に空気を流入させるファンと、
前記内部空間に流入した空気と冷媒との熱交換を行う熱交換器と、
前記吸込口の前記外部空間側を覆うとともに帯状に形成される集塵フィルタを有するフィルタユニットと、を備え、
前記フィルタユニットは、
前記集塵フィルタの一端を巻き取る第１軸を有する巻き取り部と、
前記巻き取り部により巻き取られる前記集塵フィルタの他端が巻き付けられた第２軸を有する巻き出し部と、
前記第１軸を回転駆動する駆動部と、を有し、
前記第１軸および前記第２軸よりも前記吸込口に近接した位置に前記吸込口を覆うように前記集塵フィルタを配置する空気調和機。
【請求項２】
前記フィルタユニットは、前記吸込口を覆うように配置される前記集塵フィルタに所定の張力を付与する張力付与部を備える請求項１に記載の空気調和機。
【請求項３】
前記張力付与部は、前記集塵フィルタの前記吸込口側の面を前記外部空間側に押し付けて前記集塵フィルタに前記所定の張力を付与する請求項２に記載の空気調和機。
【請求項４】
前記吸込口の前記外部空間側に配置されるとともに前記吸込口を覆う吸込口グリルと、
前記吸込口グリルが前記吸込口に近接した設置状態と前記吸込口グリルが前記吸込口から離間した離脱状態とを切り替える切替機構と、を備え、
前記張力付与部は、前記本体部に固定された張力付与部材を有し、
前記張力付与部材は、前記切替機構が前記離脱状態を前記設置状態に切り替えた場合に前記集塵フィルタに前記所定の張力を付与する請求項３に記載の空気調和機。
【請求項５】
前記フィルタユニットは、前記集塵フィルタ、前記巻き取り部、および前記巻き出し部を収納する収納部を備え、
前記収納部は、前記吸込口グリルに着脱可能に取り付けられている請求項４に記載の空気調和機。
【請求項６】
前記張力付与部は、前記本体部に取り付けられた張力付与部材を前記集塵フィルタに向けて移動させることにより、前記集塵フィルタに前記所定の張力を付与する請求項３に記載の空気調和機。
【請求項７】
前記集塵フィルタは、一端側をロール状に巻き付けた第１ロール部と、他端側をロール状に巻き付けた第２ロール部と、を有し、
前記第１ロール部は、前記第１軸に着脱可能に挿入されており、
前記第２ロール部は、前記第２軸に着脱可能に挿入されている請求項１から請求項６のいずれか一項に記載の空気調和機。
【請求項８】
前記巻き出し部は、
前記第２軸とともに回転するとともに外周面に凹凸形状が形成されたギヤと、
前記ギヤの凹部に係合して前記第２軸の巻き出し方向と逆方向の回転を規制するとともに前記駆動部により前記第１軸に前記巻き出し方向への所定の駆動力が付与された場合に前記ギヤを前記巻き出し方向へ回転させるラッチ機構と、を備える請求項１から請求項７のいずれか一項に記載の空気調和機。
【発明の詳細な説明】
【技術分野】
【０００１】
本発明は、吸込口を覆う集塵フィルタを有する空気調和機に関するものである。
【背景技術】
【０００２】
従来、天井埋込型空気調和装置において、吸込口に設けたグリルの開口部に吸込空気を清浄化するためのロールフィルタを設置することが知られている（例えば、特許文献１参照）。特許文献１の空気調和装置は、ロールフィルタを巻取可能に収納するロールフィルタユニットを昇降するグリルに着脱可能に設置することで、低所でのフィルタの交換を可能としたものである。
【先行技術文献】
【特許文献】
【０００３】
【特許文献１】特開２０１０−４３７８３号公報
【発明の概要】
【発明が解決しようとする課題】
【０００４】
特許文献１の空気調和装置は、吸込口よりも装置内部側にロールフィルタユニットを配置し、ロールフィルタの下方側の面で塵埃を捕集している。特許文献１の空気調和装置において、ロールフィルタの塵埃を捕集した面は、使用前のロールフィルタが巻き回される第１ローラの回転軸および使用後のロールフィルタを巻き取る第２ローラの回転軸よりも下方に配置される。そのため、塵埃を捕集した面は、第２ローラの回転軸回りに１回転しなければロールフィルタの内側に巻き取られない。よって、ロールフィルタが第２ローラの回転軸回りに１回転する間に、ロールフィルタに捕集された塵埃がロールフィルタから離脱して塵埃の捕集効率が低下する可能性がある。
【０００５】
本発明は、このような事情に鑑みてなされたものであって、帯状に形成される集塵フィルタを巻き取ることによって集塵フィルタの交換頻度を低下させるとともに集塵フィルタによって捕集された塵埃が離脱する不具合を抑制することが可能な空気調和機を提供することを目的とする。
【課題を解決するための手段】
【０００６】
上記課題を解決するために、本発明の一態様に係る空気調和機は以下の手段を採用する。
本発明の一態様に係る空気調和機は、吸込口を有する本体部と、前記吸込口を介して外部空間から前記本体部の内部空間に空気を流入させるファンと、前記内部空間に流入した空気と冷媒との熱交換を行う熱交換器と、前記吸込口の前記外部空間側を覆うとともに帯状に形成される集塵フィルタを有するフィルタユニットと、を備え、前記フィルタユニットは、前記集塵フィルタの一端を巻き取る第１軸を有する巻き取り部と、前記巻き取り部により巻き取られる前記集塵フィルタの他端が巻き付けられた第２軸を有する巻き出し部と、前記第１軸を回転駆動する駆動部と、を有し、前記第１軸および前記第２軸よりも前記吸込口に近接した位置に前記吸込口を覆うように前記集塵フィルタを配置する。
【０００７】
本発明の一態様に係る空気調和機によれば、フィルタユニットの駆動部を駆動させることにより、帯状に形成される集塵フィルタが巻き取り部により巻き取られ、巻き取られた長さの分だけ塵埃を捕集していない集塵フィルタが巻き出し部から巻き出される。そのため、帯状に形成される集塵フィルタを巻き取ることによって集塵フィルタの交換頻度を低下させることができる。
【０００８】
また、本発明の一態様に係る空気調和機によれば、塵埃を含む外部空間の空気は、ファンにより吸引され、集塵フィルタを通過した後に吸込口を通過して本体部の内部空間へ導かれる。空気に含まれる塵埃は、空気が集塵フィルタを通過する際に集塵フィルタの外部空間側の面に捕集される。フィルタユニットは、巻き取り部の第１軸および巻き出し部の第２軸よりも吸込口に近接した位置に吸込口を覆うように集塵フィルタを配置している。集塵フィルタの外部空間側の面は、第１軸および第２軸に近接した面であるため、巻き出し部から巻き取り部へ向けて移動する集塵フィルタが巻き取り部に到達すると、集塵フィルタの塵埃を捕集した面が巻き取り済みの集塵フィルタと接触し、塵埃が集塵フィルタに挟まれた状態となる。そのため、本発明の一態様に係る空気調和機によれば、集塵フィルタによって捕集された塵埃が離脱する不具合を抑制することができる。
【０００９】
本発明の一態様に係る空気調和機において、前記フィルタユニットは、前記吸込口を覆うように配置される前記集塵フィルタに所定の張力を付与する張力付与部を備える構成であってもよい。吸込口を覆うように配置される集塵フィルタに所定の張力が付与されるため、集塵フィルタが吸込口に対して平面状に配置される。吸込口の各位置に対して集塵フィルタが一定の位置に配置されるため、吸込口の各位置での塵埃の捕集効率の変動を抑制することができる。
【００１０】
上記構成の空気調和機において、前記張力付与部は、前記集塵フィルタの前記吸込口側の面を前記外部空間側に押し付けて前記集塵フィルタに前記所定の張力を付与してもよい。張力付与部が集塵フィルタの吸込口側の面を外部空間側へ押し付けることにより、集塵フィルタを吸込口の各位置に対して一定の位置に配置することができる。
【００１１】
上記構成の空気調和機においては、前記吸込口の前記外部空間側に配置されるとともに前記吸込口を覆う吸込口グリルと、前記吸込口グリルが前記吸込口に近接した設置状態と前記吸込口グリルが前記吸込口から離間した離脱状態とを切り替える切替機構と、を備え、前記張力付与部は、前記本体部に固定された張力付与部材を有し、前記張力付与部材は、前記切替機構が前記離脱状態を前記設置状態に切り替えた場合に前記集塵フィルタに前記所定の張力を付与するようにしてもよい。張力付与部材が本体部に固定されているため、張力付与部材を集塵フィルタへ向けて移動させる別途の機構を本体部に設ける必要がない。
【００１２】
上記構成の空気調和機において、前記フィルタユニットは、前記集塵フィルタ、前記巻き取り部、および前記巻き出し部を収納する収納部を備え、前記収納部は、前記吸込口グリルに着脱可能に取り付けられていてもよい。収納部に、集塵フィルタ、巻き取り部、および巻き出し部が収納されているため、収納部を吸込口グリルに装着あるいは取り外すことにより、集塵フィルタを容易に交換することができる。
【００１３】
上記構成の空気調和機において、前記張力付与部は、前記本体部に取り付けられた張力付与部材を前記集塵フィルタに向けて移動させることにより、前記集塵フィルタに前記所定の張力を付与してもよい。本体部に集塵フィルタに所定の張力を付与する張力付与部材が取り付けられているため、集塵フィルタ側に張力を付与する機構を設ける必要がない。
【００１４】
本発明の一態様に係る空気調和機において、前記集塵フィルタは、一端側をロール状に巻き付けた第１ロール部と、他端側をロール状に巻き付けた第２ロール部と、を有し、前記第１ロール部は、前記第１軸に着脱可能に挿入されており、前記第２ロール部は、前記第２軸に着脱可能に挿入されていてもよい。集塵フィルタを構成する第１ロール部と第２ロール部がそれぞれ巻き付け部の第１軸と巻き出し部の第２軸に対して着脱可能となっている。そのため、フィルタユニットの集塵フィルタのみを交換し、その他を再利用して交換品に要するコストを低減することができる。
【００１５】
本発明の一態様に係る空気調和機において、前記巻き出し部は、前記第２軸とともに回転するとともに外周面に凹凸形状が形成されたギヤと、前記ギヤの凹部に係合して前記第２軸の巻き出し方向と逆方向の回転を規制するとともに前記駆動部により前記第１軸に前記巻き出し方向への所定の駆動力が付与された場合に前記ギヤを前記巻き出し方向へ回転させるラッチ機構と、を備えていてもよい。ラッチ機構により、巻き出し部から巻き出される集塵フィルタに張力が付与された状態が維持されるため、吸込口の各位置での塵埃の捕集効率の変動を抑制することができる。
【発明の効果】
【００１６】
本発明によれば、帯状に形成される集塵フィルタを巻き取ることによって集塵フィルタの交換頻度を低下させるとともに集塵フィルタによって捕集された塵埃が離脱する不具合を抑制することが可能な空気調和機を提供することができる。
【図面の簡単な説明】
【００１７】
【図１】本発明の一実施形態に係る空気調和機の斜視図である。
【図２】図１に示す空気調和機の室内機の縦断面図である。
【図３】図２に示すフィルタユニットの部分拡大図である。
【図４】図３に示すフィルタユニットを内部空間側からみた平面図である。
【図５】図３に示すフィルタユニットの巻き取り部近傍の部分拡大図である。
【図６】図３に示すフィルタユニットの巻き出し部近傍の部分拡大図である。
【図７】吸込口グリルがキャビネットから下方に降下して空気吸込口から離間した離脱状態を示す図である。
【図８】離脱状態において、集塵フィルタを吸込口グリルから取り外した状態を示す図である。
【図９】第２実施形態のフィルタユニットの巻き取り部近傍の部分拡大図である。
【図１０】第２実施形態のフィルタユニットの巻き出し部近傍の部分拡大図である。
【図１１】第３実施形態のフィルタユニットを吸込口グリルから取り外した状態を示す図である。
【発明を実施するための形態】
【００１８】
〔第１実施形態〕
以下に、本発明に係る空気調和機１の一実施形態について、図面を参照して説明する。
図１には、本実施形態に係る天井埋込み型の空気調和機１の斜視図が示され、図２には、その縦断面図が示されている。ここでは、室外機２に対して１台の室内機３が接続された天井埋込み型の空気調和機１の例が示されている。
【００１９】
空気調和機１は、室内機３が室内の天井等に吊下げ設置され、冷媒配管４および電気配線５を介して屋外の設置された室外機２と接続されて使用されるものである。室外機２には、冷媒圧縮機６、室外熱交換器７、室外ファン８、コントロールボックス９、図示省略の四方切換弁等の機器類が設置されている。この室外機２は、室内機３側に設けられる後述の室内熱交換器１８と共に冷凍サイクルを構成し、室内機３に供給する冷媒の調整機能を担うものである。
【００２０】
室内機３は、下方部が開口されているキャビネット（本体部）１０と、このキャビネット１０の下方部位に取り付けられる略四角形状の天井パネル１１とを備えている。キャビネット１０内の下方部位には、空気吸込口１２を形成するベルマウス１３と、ドレンパン１４とが設置されており、ドレンパン１４の一部により風路１５が形成されている。また、キャビネット１０の天板中央部位には、ファンモータ１６により回転駆動されるターボファン１７が設置されており、このターボファン１７の外周を取り囲むように、四角形状に折り曲げ形成されている室内熱交換器１８が図示省略のブラケットを介して天板側に固定設置されている。
【００２１】
キャビネット１０内には、空気吸込口１２を形成するベルマウス１３を介してターボファン１７に室内空気を導き、ターボファン１７により昇圧されてラジアル方向に吹出された空気を、その外周を取り囲むように配設されている室内熱交換器１８を通して、キャビネット１０の内面とドレンパン１４の外周面とで形成される風路１５へと流通させる空気流通路１９が構成されている。ターボファン１７は、複数枚のブレード３０を有し、空気吸込口１２を介して外部空間Ｓ２からキャビネット１０の内部空間Ｓ１に室内空気を流入させる。
【００２２】
室内熱交換器１８は、内部空間Ｓ１に流入した空気と冷媒との熱交換を行う装置である。室内熱交換器１８は、空気吸込口１２から内部空間Ｓ１へ流入し空気流通路１９から風路１５へ導かれる室内空気を加熱または冷却する。
【００２３】
四方形状の天井パネル１１には、その四辺に沿って空調風を吹出す長方形状の空気吹出口２０が風路１５と連通するように設けられているとともに、中央部に室内空気を吸い込むための開口２１が設けられている。この開口２１には、後述するフィルタユニット４０を内部に設置した吸込口グリル２３が、図１に示されるように、ワイヤ２４等を介して昇降自在に設けられている。また、各空気吹出口２０には、空気吹出口２０から吹出される空調風の風向を調整するための風向調整ルーバ２５が、それぞれ個別にスイング可能に設置されている。
【００２４】
次に、本実施形態のフィルタユニット４０について、図面を参照して説明する。図３は、図２に示すフィルタユニット４０の部分拡大図である。図４は、図３に示すフィルタユニットを内部空間Ｓ１側からみた平面図である。図３に示すように、吸込口グリル２３は、空気吸込口１２を覆うように空気吸込口１２の外部空間Ｓ２側に配置されている。吸込口グリル２３は、図１に示すように格子状に形成されており、外部空間Ｓ２から内部空間Ｓ１へ室内空気を流通させることが可能となっている。
【００２５】
図３および図４に示すように、フィルタユニット４０は、空気吸込口１２の外部空間Ｓ２側を覆うとともに帯状に形成される集塵フィルタ４１を有する機構である。フィルタユニット４０は、巻き取り部４２と、巻き出し部４３と、駆動部４４と、張力付与部４５と、支持部材４６と、を備える。
【００２６】
巻き取り部４２は、集塵フィルタ４１の一端を巻き取る巻き取り軸（第１軸）４２ａを有し、集塵フィルタ４１の一端側をロール状に巻き付けた第１ロール部４１ａを形成する。巻き取り部４２は、巻き取り軸４２ａに連結されるとともに駆動部４４から伝達される回転動力を巻き取り軸４２ａに伝達する巻き取りギヤ４２ｂを有する。集塵フィルタ４１の一端は、巻き取り軸４２ａに対して接着等により予め接合されている。
【００２７】
巻き出し部４３は、巻き取り部４２により巻き取られる集塵フィルタ４１の他端が巻き付けられた巻き出し軸（第２軸）４３ａを有し、集塵フィルタ４１の他端側をロール状に巻き付けた第２ロール部４１ｂを形成する。巻き出し部４３は、巻き出し軸４３ａに連結される巻き出しギヤ４３ｂと、ラッチ機構４３ｃと、を備える。巻き出しギヤ４３ｂは、巻き出し軸４３ａとともに回転するとともに外周面に凹凸形状が形成された略円筒形の部材である。
【００２８】
ラッチ機構４３ｃは、巻き出しギヤ４３ｂの凹部に係合して巻き出し軸４３ａの巻き出し方向と逆方向の回転を規制する機構である。また、ラッチ機構４３ｃは、駆動部４４により巻き取り軸４２ａに巻き出し方向（巻き取り方向）への所定の駆動力が付与された場合に巻き出しギヤ４３ｂを巻き出し方向へ回転させる機構である。
【００２９】
駆動部４４は、集塵フィルタ４１を巻き取る巻き取り方向に巻き取り軸４２ａを回転駆動する機構である。駆動部４４は、モータ（図示略）の回転軸に連結されるギヤであり、巻き取りギヤ４２ｂと係合する凹凸形状を外周面に形成した略円筒形の部材である。
【００３０】
張力付与部４５は、空気吸込口１２を覆うように配置される集塵フィルタ４１に所定の張力を付与する機構である。張力付与部４５は、巻き取り軸４２ａの近傍で集塵フィルタ４１に所定の張力を付与する張力付与部材４５ａと、巻き出し軸４３ａの近傍で集塵フィルタ４１に所定の張力を付与する張力付与部材４５ｂと、を有する。
【００３１】
張力付与部材４５ａは、巻き取り軸４２ａと平行に延びるとともに円筒状に形成されており、集塵フィルタ４１の幅方向（巻き取り軸４２ａが延びる方向）の全長よりも長く形成されている。同様に、張力付与部材４５ｂは、巻き出し軸４３ａと平行に延びるとともに円筒状に形成されており、集塵フィルタ４１の幅方向（巻き出し軸４３ａが延びる方向）の全長よりも長く形成されている。張力付与部材４５ａおよび張力付与部材４５ｂは、それぞれ空気吸込口１２および開口２１に対して予め固定された位置に配置されるようにキャビネット１０に固定されている。
【００３２】
図３に示すように、フィルタユニット４０は、集塵フィルタ４１に所定の張力が付与された状態で、巻き取り軸４２ａおよび巻き出し軸４３ａよりも空気吸込口１２に近接した位置に空気吸込口１２を覆うように集塵フィルタ４１を配置する。図３に示す状態において、張力付与部４５は、集塵フィルタ４１の空気吸込口１２側の非捕集面４１ｃを外部空間Ｓ２側に押し付けて集塵フィルタ４１に所定の張力を付与している。
【００３３】
支持部材４６は、巻き取り軸４２ａおよび巻き出し軸４３ａを回転可能に支持する部材である。図４に示すように、一対の支持部材４６が、巻き取り軸４２ａおよび巻き出し軸４３ａが延びる方向の両端に設けられている。一対の支持部材４６は、巻き取り軸４２ａの両端部および巻き出し軸４３ａの両端部を回転可能に支持する。
【００３４】
次に、フィルタユニット４０が、巻き出し部４３から巻き出した集塵フィルタ４１を巻き取り部４２で巻き取る動作について図面を参照して説明する。図５は、図３に示すフィルタユニット４０の巻き取り部４２近傍の部分拡大図である。図６は、図３に示すフィルタユニット４０の巻き出し部４３近傍の部分拡大図である。
【００３５】
空気調和機１の操作者は、空気吸込口１２を覆うように配置された集塵フィルタ４１の捕集面４１ｄに塵埃Ｄが大量に付着したと判断した場合、空気調和機１の制御装置（図示略）に対して、リモートコントローラ（図示略）等を用いて集塵フィルタ４１の巻き取りを指示する。空気調和機１の制御装置は、集塵フィルタ４１の巻き取りが指示された場合、巻き出し部４３に巻き付けられた集塵フィルタ４１の第２ロール部４１ｂから集塵フィルタ４１を巻き出し、塵埃Ｄが付着していない捕集面４１ｄを空気吸込口１２と対応する位置に移動させる。
【００３６】
図５に示すように、集塵フィルタ４１の巻き取りが指示された場合、制御装置は、駆動部４４を反時計回りに回転させることにより空気吸込口１２の下方に配置される集塵フィルタ４１を巻き取り軸４２ａに巻き付ける。図５に示すように、捕集面４１ｄに塵埃Ｄが付着した集塵フィルタ４１は、巻き取り軸４２ａおよび巻き出し軸４３ａよりも空気吸込口１２に近接した位置に配置されている。また、集塵フィルタ４１の捕集面４１ｄ（外部空間Ｓ２側の面）は、巻き取り軸４２ａおよび巻き出し軸４３ａに近接した面となっている。
【００３７】
図５に示すように、巻き出し部４３から巻き取り部４２へ向けて移動する集塵フィルタ４１が巻き取り部４２に到達すると、集塵フィルタ４１の塵埃Ｄを捕集した捕集面４１ｄが巻き取り済みの集塵フィルタ４１の第１ロール部４１ａと接触し、塵埃Ｄが集塵フィルタ４１に挟まれた状態となる。そのため、集塵フィルタ４１によって捕集された塵埃Ｄが集塵フィルタ４１から離脱する不具合を抑制することができる。
【００３８】
巻き取り部４２に向けて集塵フィルタ４１が巻き出される際には、集塵フィルタ４１が張力付与部４５により付与された張力を維持できるように、ラッチ機構４３ｃが機能する。図６に示すように、ラッチ機構４３ｃは、略Ｌ字型の部材であり、バネ等の弾性部材（図示略）により巻き出しギヤ４３ｂの凹部に係合する付勢力が付与されている。
【００３９】
ラッチ機構４３ｃは、巻き出しギヤ４３ｂの凹部に係合しているため、巻き出し方向と逆方向に巻き出し軸４３ａが回転しないように規制することができる。また、ラッチ機構４３ｃは、巻き出し軸４３ａに巻き出し方向への所定の駆動力が付与され、弾性部材から付与される付勢力を上回った場合に、巻き出しギヤ４３ｂを巻き出し方向へ回転させる。巻き出しギヤ４３ｂが巻き出し方向へ回転すると、集塵フィルタ４１に付与される張力が減少して弾性部材から付与される付勢力が上回り、ラッチ機構４３ｃが再び凹部へ係合する。ラッチ機構４３ｃは、以上のようにして、集塵フィルタ４１に所定の張力が付与される状態を維持する。
【００４０】
次に、吸込口グリル２３を昇降させて巻き取り部４２に巻き取られた集塵フィルタ４１を交換する動作について図面を参照して説明する。図７は、吸込口グリル２３がキャビネット１０から下方に降下して空気吸込口１２から離間した離脱状態を示す図である。図８は、離脱状態において、集塵フィルタ４１を吸込口グリル２３から取り外した状態を示す図である。
【００４１】
本実施形態の室内機３は、キャビネット１０の内部に、ワイヤ２４を巻き出すことにより吸込口グリル２３をキャビネット１０の下方に降下させる昇降機構（切替機構；図示略）を備えている。昇降機構は、制御装置からの指示に応じて、吸込口グリル２３が空気吸込口１２に近接した設置状態（図３に示す状態）と、吸込口グリル２３が空気吸込口１２から離間した離脱状態（図７に示す状態）とを切り替える機構である。昇降機構は、制御装置が吸込口グリル２３を離脱状態に切り替える指示を行うと、ワイヤ２４を巻き出して図７に示す状態とする。
【００４２】
図７に示すように、本実施形態のフィルタユニット４０のうち、駆動部４４と張力付与部４５を除く他の構成は、吸込口グリル２３に取り付けられている。そのため、吸込口グリル２３を離脱状態とすることにより、吸込口グリルに取り付けられたフィルタユニット４０の構成を操作者が容易に交換することができる。
【００４３】
図８に示すように、巻き取り軸４２ａおよび巻き出し軸４３ａを持ち上げて、それぞれ支持部材４６から離間させると、吸込口グリル２３には、支持部材４６とラッチ機構４３ｃのみが取り付けられた状態となる。そのため、使用済みの集塵フィルタ４１を未使用の集塵フィルタ４１に容易に交換することができる。
【００４４】
未使用の集塵フィルタ４１を吸込口グリル２３に取り付けた後に、操作者は、リモートコントローラ等を用いて制御装置に吸込口グリル２３を上昇させる指示を行う。制御装置は、この指示を操作者から受け付けると、ワイヤ２４を巻き取って離脱状態（図７に示す状態）を設置状態（図３に示す状態）に切り替えるよう昇降機構を制御する。
【００４５】
図３に示す張力付与部材４５ａおよび張力付与部材４５ｂは、キャビネット１０に対して一定の位置に固定されている。そのため、張力付与部材４５ａおよび張力付与部材４５ｂは、昇降機構が離脱状態を設置状態に切り替えた場合に集塵フィルタ４１の非捕集面４１ｃに接触し、集塵フィルタ４１に所定の張力を付与する。
【００４６】
以上説明した本実施形態の空気調和機１が奏する作用および効果について説明する。
本実施形態の空気調和機１によれば、フィルタユニット４０の駆動部４４を駆動させることにより、帯状に形成される集塵フィルタ４１が巻き取り部４２により巻き取られ、巻き取られた長さの分だけ塵埃Ｄを捕集していない集塵フィルタ４１が巻き出し部４３から巻き出される。帯状に形成される集塵フィルタ４１を巻き取ることにより、シート状の集塵フィルタを交換する場合に比べ、集塵フィルタ４１の交換頻度を低下させることができる。
【００４７】
また、本実施形態の空気調和機１によれば、塵埃Ｄを含む外部空間Ｓ２の空気は、ターボファン１７により吸引され、集塵フィルタ４１を通過した後に空気吸込口１２を通過してキャビネット１０の内部空間Ｓ１へ導かれる。空気に含まれる塵埃Ｄは、空気が集塵フィルタ４１を通過する際に集塵フィルタ４１の外部空間Ｓ２側の捕集面４１ｄに捕集される。フィルタユニット４０は、巻き取り部４２の巻き取り軸４２ａおよび巻き出し部４３の巻き出し軸４３ａよりも空気吸込口１２に近接した位置に空気吸込口１２を覆うように集塵フィルタ４１を配置している。
【００４８】
集塵フィルタ４１の外部空間Ｓ２側の面は、巻き取り軸４２ａおよび巻き出し軸４３ａに近接した面であるため、巻き出し部４３から巻き取り部４２へ向けて移動する集塵フィルタ４１が巻き取り部４２に到達すると、集塵フィルタ４１の塵埃Ｄを捕集した捕集面４１ｄが巻き取り済みの集塵フィルタ４１と接触し、塵埃Ｄが集塵フィルタ４１に挟まれた状態となる。そのため、本実施形態の空気調和機１によれば、集塵フィルタ４１によって捕集された塵埃Ｄが集塵フィルタ４１から離脱する不具合を抑制することができる。
【００４９】
本実施形態の空気調和機１において、フィルタユニット４０は、空気吸込口１２を覆うように配置される集塵フィルタ４１に所定の張力を付与する張力付与部４５を備える。空気吸込口１２を覆うように配置される集塵フィルタ４１に所定の張力が付与されるため、集塵フィルタ４１が空気吸込口１２に対して平面状に配置される。空気吸込口１２の各位置に対して集塵フィルタ４１が一定の位置に配置されるため、空気吸込口１２の各位置での塵埃Ｄの捕集効率の変動を抑制することができる。
【００５０】
本実施形態の空気調和機１は、吸込口グリル２３と、吸込口グリル２３が空気吸込口１２に近接した設置状態と吸込口グリル２３が空気吸込口１２から離間した離脱状態とを切り替える昇降機構と、を備える。また、張力付与部４５は、キャビネット１０に固定された張力付与部材４５ａ，４５ｂを有する。張力付与部材４５ａ，４５ｂがキャビネット１０に固定されているため、張力付与部材４５ａ，４５ｂを集塵フィルタ４１へ向けて移動させる別途の機構をキャビネット１０に設ける必要がない。
【００５１】
また、本実施形態の空気調和機１は、ラッチ機構４３ｃにより、巻き出し部４３から巻き出される集塵フィルタ４１に張力が付与された状態が維持される。そのため、空気吸込口１２の各位置での塵埃Ｄの捕集効率の変動を抑制することができる。
【００５２】
〔第２実施形態〕
次に、本発明の第２実施形態に係る空気調和機について説明する。第２実施形態は、第１実施形態の変形例であり、以下で特に説明する場合を除き、第１実施形態と同様であるものとし、以下での説明を省略する。
【００５３】
第１実施形態の空気調和機は、フィルタユニット４０の構成のうち、集塵フィルタ４１だけでなく巻き取り軸４２ａおよび巻き出し軸４３ａも交換対象とするものであった。それに対して、本実施形態の空気調和機は、集塵フィルタ４１のみを交換対象とし、巻き取り軸４２ａおよび巻き出し軸４３ａを再利用できるようにしたものである。
【００５４】
図９は、第２実施形態のフィルタユニット４０Ａの巻き取り部４２近傍の部分拡大図である。本実施形態の巻き取りギヤ４２ｂは、第１実施形態と同様に、巻き取り軸４２ａと一体に回転するように連結されている。一方、第１実施形態では、集塵フィルタ４１の一端が巻き取り軸４２ａに対して接着等により予め接合されているものとしたが、第２実施形態の集塵フィルタ４１の一端は巻き取り軸４２ａに対して接合されていない。本実施形態の集塵フィルタ４１の第１ロール部４１ａは、巻き取り軸４２ａに対して着脱可能に挿入されている。
【００５５】
図９に示すように、本実施形態の巻き取り軸４２ａには、巻き取り軸４２ａと同方向に延びる突起部４２ｃが形成されている。一方、集塵フィルタ４１の第１ロール部４１ａには、突起部４２ｃに対応する形状の溝部（キー溝）が形成されている。そのため、巻き取り軸４２ａを第２ロール部４１ｂに挿入すると、巻き取り軸４２ａの突起部４２ｃが第１ロール部４１ａの溝部と係合する。そのため、巻き取り軸４２ａが駆動部４４により巻き取り方向に回転すると、その動力が第１ロール部４１ａにも伝達される。
【００５６】
図１０は、第２実施形態のフィルタユニット４０Ａの巻き出し部４３近傍の部分拡大図である。本実施形態の巻き出しギヤ４３ｂは、第１実施形態とは異なり、巻き出し軸４３ａには連結されていない。本実施形態の巻き出しギヤ４３ｂは、第２ロール部４１ｂと一体に回転するように第２ロール部４１ｂに取り付けられている。本実施形態の集塵フィルタ４１の第２ロール部４１ｂは、巻き出し軸４３ａに対して着脱可能に挿入されている。
【００５７】
以上の説明においては、巻き取り軸４２ａに突起部４２ｃを設け、第１ロール部４１ａに溝部を設けるものとしたが、他の態様であってもよい。例えば、巻き取り軸４２ａに巻き取り軸４２ａと同方向に延びる溝部（スリット）を設け、溝部に集塵フィルタ４１の一端を差し込んで固定するようにしても良い。
【００５８】
本実施形態の空気調和機によれば、集塵フィルタ４１を構成する第１ロール部４１ａと第２ロール部４１ｂがそれぞれ巻き取り部４２の巻き取り軸４２ａと巻き出し部４３の巻き出し軸４３ａに対して着脱可能となっている。そのため、フィルタユニット４０Ａの集塵フィルタ４１のみを交換し、その他を再利用して交換品に要するコストを低減することができる。
【００５９】
〔第３実施形態〕
次に、本発明の第２実施形態に係る空気調和機について説明する。第２実施形態は、第１実施形態の変形例であり、以下で特に説明する場合を除き、第１実施形態と同様であるものとし、以下での説明を省略する。
【００６０】
第１実施形態の空気調和機は、図８に示すように、巻き取り軸４２ａおよび巻き出し軸４３ａを吸込口グリル２３に設けられた支持部材４６から持ち上げ、集塵フィルタ４１とともに交換するものであった。それに対して本実施形態の空気調和機は、巻き取り軸４２ａおよび巻き出し軸４３ａを支持部材４６とともに一体化し、一体化した状態で吸込口グリル２３に対して着脱可能とするものである。
【００６１】
図１１は、本実施形態のフィルタユニット４０Ｂを吸込口グリル２３から取り外した状態を示す図である。本実施形態のフィルタユニット４０Ｂは、集塵フィルタ４１、巻き取り部４２および巻き出し部４３を収納するカセット（収納部）４７を備えている。カセット４７は、集塵フィルタ４１の四方の側面を覆うように配置された４つの側板を組み合わせたものであり、４つの側板により構成される枠体に対して、集塵フィルタ４１、巻き取り部４２および巻き出し部４３が取り付けられている。カセット４７は、吸込口グリル２３に対して着脱可能に取り付けられる構造となっている。
【００６２】
カセット４７は、室内空気を流通させることが可能となるように、下面が外部空間Ｓ２へ向けて開口し、上面が内部空間Ｓ１へ向けて開口している。本実施形態によれば、カセット４７として一体となったフィルタユニット４０Ｂを吸込口グリル２３に対して着脱することで、集塵フィルタ４１を更に容易に交換することができる。
【００６３】
〔他の実施形態〕
以上の説明において、張力付与部材４５ａおよび張力付与部材４５ｂは、それぞれ空気吸込口１２および開口２１に対して予め固定された位置に配置されるようにキャビネット１０に固定されているものとしたが、他の態様であってもよい。例えば、キャビネット１０に取り付けられた張力付与部材４５ａおよび張力付与部材４５ｂを、フィルタユニット４０の集塵フィルタ４１の非捕集面４１ｃに対して近接または離間させる移動機構を設けるようにしてもよい。
【００６４】
この場合、制御装置は、巻き取り部４２により集塵フィルタ４１を巻き取る前に張力付与部材４５ａおよび張力付与部材４５ｂを集塵フィルタ４１から離間させるように移動機構を制御する。これは、集塵フィルタ４１に張力が付与された状態では、巻き取り部４２が集塵フィルタ４１を巻き取るのに要する駆動力が大きくなりすぎる場合があるからである。張力付与部材４５ａおよび張力付与部材４５ｂを集塵フィルタ４１から離間させてから集塵フィルタ４１を巻き取ることにより、巻き取り部４２が集塵フィルタ４１を巻き取るのに要する駆動力を低減し、安定した巻き取り動作を行うことができる。
【００６５】
以上の説明において、巻き取り部４２は、張力付与部４５が集塵フィルタ４１に所定の張力を付与した状態で集塵フィルタ４１を巻き取るものとしたが、他の態様であってもよい。例えば、巻き取り部４２が集塵フィルタ４１を巻き取る前に吸込口グリル２３を微小に降下させて集塵フィルタ４１に付与される張力を減少させるようにしてもよい。このようにすることで、巻き取り部４２が集塵フィルタ４１を巻き取るのに要する駆動力を低減し、安定した巻き取り動作を行うことができる。
【００６６】
この場合、制御装置は、巻き取り部４２による集塵フィルタ４１の巻き取りが完了する前に吸込口グリル２３を設置状態まで上昇させ、その状態か更に集塵フィルタ４１を巻き取って所定の張力が付与された状態で巻き取りを終了させるようにしてよい。このようにすることで、巻き取り部４２による巻き取り動作が完了した時点で集塵フィルタ４１に所定の張力が付与された状態とすることができる。
【００６７】
以上の説明において、張力付与部４５は、巻き取り軸４２ａの近傍で集塵フィルタ４１に所定の張力を付与する張力付与部材４５ａと、巻き出し軸４３ａの近傍で集塵フィルタ４１に所定の張力を付与する張力付与部材４５ｂと、を有するものであったが、他の態様であってもよい。例えば、張力付与部４５は、張力付与部材４５ａと張力付与部材４５ｂのいずれか一方のみを備えるものとしてもよい。
【００６８】
以上の説明において、フィルタユニット４０は、ラッチ機構４３ｃを備えるものとしたが、他の態様であってもよい。例えば、巻き出し部４３に、巻き出し軸４３ａを巻き出し方向に回転させるために所定の負荷を要する機構を設け、集塵フィルタ４１に所定の張力が付与される状態を維持するようにしてもよい。
【符号の説明】
【００６９】
１      空気調和機
３      室内機
１０    キャビネット（本体部）
１２    空気吸込口
１７    ターボファン
１８    室内熱交換器
２１    開口
２３    吸込口グリル
２４    ワイヤ
４０，４０Ａ，４０Ｂ  フィルタユニット
４１    集塵フィルタ
４１ａ  第１ロール部
４１ｂ  第２ロール部
４１ｃ  非捕集面
４１ｄ  捕集面
４２    巻き取り部
４２ａ  巻き取り軸
４２ｂ  巻き取りギヤ
４２ｃ  突起部
４３    巻き出し部
４３ａ  巻き出し軸
４３ｂ  巻き出しギヤ
４３ｃ  ラッチ機構
４４    駆動部
４５    張力付与部
４５ａ  張力付与部材
４５ｂ  張力付与部材
４６    支持部材
４７    カセット
Ｄ      塵埃
Ｓ１    内部空間
Ｓ２    外部空間
【図１】
2020133909.tif 000003
【図２】
2020133909.tif 000004
【図３】
2020133909.tif 000005
【図４】
2020133909.tif 000006
【図５】
2020133909.tif 000007
【図６】
2020133909.tif 000008
【図７】
2020133909.tif 000009
【図８】
2020133909.tif 000010
【図９】
2020133909.tif 000011
【図１０】
2020133909.tif 000012
【図１１】
2020133909.tif 000013